(57)【要約】      （修正有）【課題】使用中の身体の動きが緩やかな時でも微妙に揺動して、非常に意外性のある動きを生じさせることができる揺動装身具を提供する。【解決手段】少なくともアーチ状部分を備えた吊下部を有し、この吊下部に装飾部材を吊下げるようにした装身具において、アーチ状部分を備えた吊下部に所定の間隔で一対の連結部材を揺動可能に取り付け、一対の連結部材の先端を所定の間隔で装飾部材に揺動可能に取り付ける。【選択図】図３
0003175111.tif 000002
【実用新案登録請求の範囲】
【請求項１】
少なくともアーチ状部分を備えた吊下部を有し、この吊下部に装飾部材を吊下げるようにした装身具において、前記アーチ状部分を備えた吊下部に所定の間隔で一対の連結部材を揺動可能に取り付け、該一対の連結部材の先端を所定の間隔で装飾部材に揺動可能に取り付けることにより、前記装飾部材が細かく揺動するようにしたことを特徴とする揺動装身具。
【請求項２】
前記アーチ状部分を備えた吊下部は、リング状もしくはリング状もしくはループ状の外枠からなることを特徴とする請求項１に記載の揺動装身具。
【請求項３】
前記装飾部材は、台座に取り付けたカット宝石であり、前記連結部材は前記台座に取り付けられていることを特徴とする請求項１または２に記載の揺動装身具。
【請求項４】
前記一対の連結部材は、前記吊下部における取付位置の間隔が、前記装飾部材における取付位置の間隔よりも大きい間隔であることを特徴とする請求項１ないし３のいずれかに記載の揺動装身具。
【請求項５】
前記一対の連結部材は、前記吊下部および前記装飾部材に取り付けた丸環であることを特徴とする請求項１ないし４のいずれかに記載の揺動装身具。
【考案の詳細な説明】
【技術分野】
【０００１】
この考案は、ダイアモンド等のカット宝石等からなる装飾部材を枠体に揺動可能に吊下げて形成する揺動装身具に関する。
【背景技術】
【０００２】
従来のこのような揺動装身具としては、２つのタイプのものが知られている。
その１は、特開平１１−４６８１９号公報（特許文献１参照）、実用新案登録第３１１６６０４号公報（特許文献２参照）、特開２０１０−１５５０２３号公報（特許文献３参照）のように、保持枠に回転軸を取り付けて装飾体を回動自在に保持するようにしたものである。
その２は、実開昭５４−６８９８７号公報（特許文献４参照）、特開２００５−５２２３０号公報（特許文献５参照）、特開２００５−５８３７１号公報（特許文献６参照）、特開２００６−１１０３７３号公報（特許文献７参照）、実用新案登録第３１４３８３２号公報（特許文献８参照）、特開２０１１−１６０９２７号公報（特許文献９参照）のように、保持枠に丸環等を用いて装飾体を１点を介して揺動自在に保持するようにしたものである。
【０００３】
このような「装飾体が揺れるペンダント等の装身具」においては、使用中の身体の動きによりカット宝石が微妙に揺動し、様々な角度の光が入射して吊り下げられたカット宝石はキラキラと輝くようになる。
また、このような「装飾体が揺れるペンダント等の装身具」は、ネックレスチェーン等により首からぶら下げた状態でカット宝石が前後左右に揺れても、台座の定着部が胸元と接触して安定した使用が可能である。
【０００４】
しかし、以上のような「装飾体が揺れるペンダント等の装身具」においては、回転軸を用いて軸回転させるものは揺動の向きが決まった方向のみであり、したがって意外性に乏しいという問題があった。
また、丸環等を用いて装飾体を１点を介して吊下げたものにおいても、スイングするように揺れる向きはほぼ一定で、特に使用中の身体の動きが緩やかな時は意外性のある動きが生じにくいという問題があった。
【先行技術文献】
【特許文献】
【０００５】
【特許文献１】特開平１１−４６８１９号公報
【特許文献２】実用新案登録第３１１６６０４号公報
【特許文献３】特開２０１０−１５５０２３号公報
【特許文献４】実開昭５４−６８９８７号公報
【特許文献５】特開２００５−５２２３０号公報
【特許文献６】特開２００５−５８３７１号公報
【特許文献７】特開２００６−１１０３７３号公報
【特許文献８】実用新案登録第３１４３８３２号公報
【特許文献９】特開２０１１−１６０９２７号公報
【考案の概要】
【考案が解決しようとする課題】
【０００６】
この考案は、このような従来技術の課題を解決し、揺動する向きが決まった方向のみであったり、スイングするように揺れる向きもほぼ一定であるという制約がなく、特に使用中の身体の動きが緩やかな時でも微妙に揺動して、非常に意外性のある動きを生じさせることができる揺動装身具を提供することを目的とする。
【課題を解決するための手段】
【０００７】
上記課題を解決するためにこの考案の揺動装身具は、少なくともアーチ状部分を備えた吊下部を有し、この吊下部に装飾部材を吊下げるようにした装身具において、前記アーチ状部分を備えた吊下部に所定の間隔で一対の連結部材を揺動可能に取り付け、該一対の連結部材の先端を所定の間隔で装飾部材に揺動可能に取り付けることにより、前記装飾部材が細かく揺動するようにしたことを特徴とするものである。
【０００８】
この考案の揺動装身具において、前記アーチ状部分を備えた吊下部は、リング状もしくはリング状もしくはループ状の外枠からなることをも特徴とするものである。
【０００９】
この考案の揺動装身具は、前記装飾部材は、台座に取り付けたカット宝石であり、前記連結部材は前記台座に取り付けられていることをも特徴とするものである。
【００１０】
この考案の揺動装身具において、前記一対の連結部材は、前記吊下部における取付位置の間隔が、前記装飾部材における取付位置の間隔よりも大きい間隔であることをも特徴とするものである。
【００１１】
この考案の揺動装身具において、前記一対の連結部材は、前記吊下部および前記装飾部材に取り付けた丸環であることをも特徴とするものである。
【００１２】
この考案においては、前記装身具が、ペンダント、ピアス、イアリング、ブローチのいずれかであることが望ましい。
【考案の効果】
【００１３】
請求項１の揺動装身具によれば、揺動する向きが決まった方向のみであったり、スイングするように揺れる向きもほぼ一定であるという制約がなく、特に使用中の身体の動きが緩やかな時でも微妙に揺動して、非常に意外性のある動きを生じさせることができる。
【００１４】
請求項２の揺動装身具によれば、前記アーチ状部分を備えた吊下部は、リング状もしくはリング状もしくはループ状の外枠からなるので、種々のモチーフの外枠を用いて揺動する装飾部材との多様なバリエーションの装身具を提供することができる。
【００１５】
請求項３の揺動装身具によれば、前記装飾部材は、台座に取り付けたカット宝石であり、前記連結部材は前記台座に取り付けられているので、前記カット宝石が身体の動きに応じて微妙に揺動し、様々な角度の光が入射してカット宝石はキラキラと輝くように見える。
【００１６】
請求項４の揺動装身具によれば、前記一対の連結部材を、前記吊下部における取付位置の間隔が、前記装飾部材における取付位置の間隔よりも大きい間隔であるようにしたので、使用中の身体の動きが緩やかな時でも弾むように微妙に揺動して、非常に意外性のある動きを生じさせることができる。
【００１７】
請求項５の揺動装身具によれば、前記一対の連結部材を、前記吊下部および前記装飾部材に取り付けた丸環としたので、構造が単純で製造が簡単になり、低コストで揺動装身具を提供することができるようになった。
【図面の簡単な説明】
【００１８】
【図１】この考案の揺動装身具の１実施例を示す正面図である。
【図２】その背面図である。
【図３】その斜視図である。
【図４】台枠を取り外した状態の正面図である。
【図５】その斜視図である。
【図６】（ａ）は揺動装身具の側面図、（ｂ）はその断面図である。
【考案を実施するための形態】
【００１９】
以下、この考案にかかる揺動装身具を実施するための形態を図面により詳細に説明する。
図１ないし図６に示す実施例はペンダントトップに適用した場合を示し、該ペンダントトップ１１は少なくともアーチ状部分２２を備えた吊下部２１を有し、好ましくはこの吊下部２１は、リング状の外枠１２の一部を構成している。
もちろん、前記外枠１２の形状としては、上述のリング状のみならず、角形形状やリングの一部を切り欠いたループ状、その他適宜のの形状とすることができる。
前記リング状の外枠１２は、前面にメレダイヤモンド１３ａ等を配設した台枠１３と、この台枠１３に対して複数の棒状スペーサ１５を介して所定の間隔で取り付けた後枠１４とで構成されている。
このように構成したペンダントトップ１１においては、前記アーチ状部分２２を備えた吊下部２１は、リング状の外枠１２の一部を構成しているので、種々のモチーフの外枠１２を用いて揺動する装飾部材との多様なバリエーションの装身具を提供することができる。
【００２０】
そして、前記吊下部２１に装飾部材４１を吊下げるようにしたペンダントトップ１１において、前記アーチ状部分２２を備えた吊下部２１には所定の間隔で一対の連結部材３１が揺動可能に取り付けられている。図において前記連結部材３１は、前記適宜位置の棒状スペーサ１５に固定した丸環３２ａである。もちろん、該連結部材３１としてチェーン類その他の素材を利用することもできる。
前記一対の連結部材３１は、その先端を所定の間隔で装飾部材４１に揺動可能に取り付けることにより、前記装飾部材４１が細かく揺動するようにするものである。
【００２１】
図において、前記装飾部材４１は、台座４３に取り付けたカット宝石４２であり、前記連結部材３１を構成する丸環３２ｂは前記台座４３に所定の間隔で固定されており、前記丸環３２ａおよび３２ｂはそれぞれ遊嵌されているので、前記装飾部材４１は揺動可能となっている。
この実施例のペンダントトップ１１によれば、装飾部材４１の揺動する向きが決まった方向のみであったり、スイングするように揺れる向きもほぼ一定であるという制約がなく、特に使用中の身体の動きが緩やかな時でも装飾部材４１が微妙に揺動して、非常に意外性のある動きを生じさせることができる。
【００２２】
この実施例のペンダントトップ１１における前記一対の連結部材３１において、前記吊下部２１における左右の丸環３２ａの取付位置の間隔が、前記装飾部材４１における左右の丸環３２ｂの取付位置の間隔よりも大きい間隔となっている。
このような前記吊下部２１における左右の丸環３２ａの取付位置の間隔と、前記装飾部材４１における左右の丸環３２ｂの取付位置の間隔との違いが、前記装飾部材４１が細かく揺動する原因になっているものと考えられる。
すなわち、前記装飾部材４１は左右の丸環３２ｂによってその動きを拘束されているにもかかわらず、身体の微妙な動きに反応して細かく揺動するのである。とりわけ、使用中の身体の動きが緩やかな時でも、前記左右の丸環３２ｂの間で装飾部材４１が弾むように微妙に揺動し、非常に意外性のある動きを生じさせることができる
【００２３】
この実施例のペンダントトップ１１において、前記装飾部材４１は台座４３に取り付けたカット宝石４２であり、前記連結部材３１は前記台座４３に取り付けられているので、前記カット宝石４２の前面は台座４３から露出しており、前記カット宝石４２は台座４３とともに身体の動きに応じて微妙に揺動するので、前記カット宝石４２は使用中の身体の動きが緩やかな時でも様々な角度の光が入射してキラキラと輝くように見える。
【００２４】
この実施例のペンダントトップ１１において、前記一対の連結部材３１を、前記吊下部２１および前記装飾部材４１に取り付けた丸環３２ａ，３２ｂとしたので、構造が単純で製造が簡単になり、低コストで揺動装身具を提供することができるようになった。
【００２５】
前記ペンダントトップ１１は、例えば、金、プラチナ、シルバー、真鍮等の金属を素材として、ロストワックスキャスティングやプレス切断加工により製造することができる。
【００２６】
前記ペンダントトップ１１は、正面方向から見た場合には、例えばほぼ涙状の形状であり、装着時にその背面が胸元と接する平坦な後枠１４を有する。そして、台枠１３と後枠１４とを複数の棒状スペーサ１５で連結するとともに、装飾部材４１を吊下げることができる吊下部２１が台枠１３と後枠１４とで形成されている。
なお、側面方向から見た場合に明らかなように、台枠１３と後枠１４とを連結する最上位の棒状スペーサ１５がネックレスチェーン５１を挿通するためのチェーン連結部となっている。
【００２７】
このようなペンダントトップ１１をネックレスチェーン５１により首からぶら下げると、吊下部２１の後枠１４が胸元と接触してペンダントトップ１１は胸元で安定して保持される。
そして前記連結部材３１は、前記吊下部２１および前記装飾部材４１に所定の間隔で取り付けた丸環３２ａ，３２ｂからなるものであるため、身に付ける者の動きを微妙に反映して細かく揺動することができる。
したがって、カット宝石４２は異なる角度より外光を取り込んで、キラキラときらめきながら強く輝くことができる。
【産業上の利用可能性】
【００２８】
この考案の揺動装身具は上記の実施形態に限定されるものではなく、種々の変更を加えて実施することが可能である。
例えば、リング状の外枠１２や装飾部材４１の台座４３の形状は、ほぼ涙状や楕円形状に限定されるものではなく、ほぼドーナツ状やハート状、その他の装飾的形状であっても差し支えなく、前記吊下部２１に装飾部材４１が揺動可能に吊り下げられる限り、特定の形状に何ら縛られるわけではない。
【００２９】
また、この考案が適用できる典型的な装身具として、ペンダント、ピアス、イアリング、ブローチのいずれかについて適用可能である旨を説明したが、この考案はその他の装身具についても適用可能である。
【符号の説明】
【００３０】
１１  ペンダントトップ
１２  外枠
１３  台枠
１３ａ  メレダイヤモンド
１４  後枠
１５  棒状スペーサ
２１  吊下部
２２  アーチ状部分
３１  連結部材
３２ａ，３２ｂ  丸環
４１  装飾部材
４２  カット宝石
４３  台座
５１  ネックレスチェーン
【図１】
0003175111.tif 000003
【図２】
0003175111.tif 000004
【図３】
0003175111.tif 000005
【図４】
0003175111.tif 000006
【図５】
0003175111.tif 000007
【図６】
0003175111.tif 000008